(57)【特許請求の範囲】
【請求項１】
異常に頻度が高いディーゼルパティキュレートフィルタ（ＤＰＦ）の再生を検出することによりエンジン及び排気後処理システムの健全性を診断する方法であって、
ＤＰＦ全体の圧力損失を測定するとともに、この測定された圧力損失を使用して圧力損失ベースの煤堆積推定値を計算すること、
エンジンモデルからの煤の排出を計算するとともに、この計算された煤の排出を使用してエミッションベースの煤堆積推定値を計算すること、
前記圧力損失ベースの煤堆積推定値及び前記エミッションベースの煤堆積推定値の一方が予め定められた煤堆積の限界値に達した時点と、前記圧力損失ベースの煤堆積推定値及び前記エミッションベースの煤堆積推定値の他方が前記予め定められた煤堆積の限界値に達すると予想される時点との間の差が予め定められた時間間隔を超える場合に警告を与えること、及び
前記圧力損失ベースの煤堆積推定値が前記予め定められた煤堆積の限界値に達したときに、前記ＤＰＦの上流に炭化水素を噴射することによりＤＰＦの再生を始動させること、を含む方法。
【請求項２】
ＮＯ２及びＯ２ベースの煤再生による煤の消費を計算するとともに、この計算された煤の消費の速度を使用してエミッションベースの煤堆積推定値を計算することを含む、請求項１に記載の方法。
【請求項３】
エンジン回転数、空燃比、ＥＧＲの使用並びに燃料噴射クランク角のうちの一つ又は複数、外気温度、エンジンの吸気温度並びに排気温度のうちの一つ又は複数を含む温度測定値、及びＮＯｘエミッションの測定値、を含むデータに基づいて煤の排出量及び煤の消費量を計算することを含む、請求項２に記載の方法。
【請求項４】
前記警告が与えられた後に、前記エンジン及び前記エンジンの下流のディーゼル酸化触媒（ＤＯＣ）の機能性を点検することを含む、請求項１に記載の方法。
【請求項５】
エンジン回転数、空燃比、ＥＧＲの使用並びに燃料噴射クランク角のうちの一つ又は複数、外気温度、エンジンの吸気温度並びに排気温度のうちの一つ又は複数を含む温度測定値、及びＮＯｘエミッションの測定値、を含むデータに基づいて煤の排出を計算することを含む、請求項１に記載の方法。
【請求項６】
測定された排気質量流量及び排気温度を含むファクターに基づいて前記圧力損失ベースの煤堆積推定値を計算することを含む、請求項１に記載の方法。
【請求項７】
可能性のあるディーゼルエンジンの不調あるいはディーゼル酸化触媒（ＤＯＣ）の不調を検出する方法であって、
ディーゼルパティキュレートフィルタ（ＤＰＦ）全体の圧力損失を測定するとともに、この測定された圧力損失を使用して圧力損失ベースの煤堆積推定値を計算すること、
エンジンモデルからの煤の排出量を計算するとともに、この計算された煤の排出量を使用してエミッションベースの煤堆積推定値を計算すること、
前記圧力損失ベースの煤堆積推定値及び前記エミッションベースの煤堆積推定値の一方が予め定められた煤堆積の限界値に達した時点と、前記圧力損失ベースの煤堆積推定値及び前記エミッションベースの煤堆積推定値の他方が前記予め定められた煤堆積の限界値に達すると予想される時点との間の差が予め定められた時間間隔を超える場合に、エンジン及び排気後処理システムの健全性を診断するべく前記ディーゼルエンジン及び前記ＤＯＣの機能性を点検すること、及び
前記圧力損失ベースの煤堆積推定値が前記予め定められた煤堆積の限界値に達したときに、前記ＤＰＦの上流に炭化水素を噴射することによりＤＰＦの再生を始動させること、を含む方法。
【請求項８】
ＮＯ２及びＯ２ベースの煤再生による煤の消費を計算するとともに、前記計算された煤の消費の速度を使用して前記エミッションベースの煤堆積推定値を計算することを含む、請求項７に記載の方法。
【請求項９】
排気後処理システムを有するディーゼルエンジンであって、
排気管を有するディーゼルエンジン、
前記ディーゼルエンジンの排気管の下流のディーゼル酸化触媒（ＤＯＣ）、
前記ＤＯＣの下流のディーゼルパティキュレートフィルタ（ＤＰＦ）、
ＤＰＦ全体の圧力損失を測定するためのセンサ、及び
測定された圧力損失に基づいて圧力損失ベースの煤堆積推定値を計算し、
エンジンモデルから計算された煤の排出に基づいてエミッションベースの煤堆積推定値を計算し、
前記圧力損失ベースの煤堆積推定値及び前記エミッションベースの煤堆積推定値の一方が予め定められた煤堆積の限界値に達した時点と、前記圧力損失ベースの煤堆積推定値及び前記エミッションベースの煤堆積推定値の他方が前記予め定められた煤堆積の限界値に達すると予想される時点との間の差が予め定められた時間間隔を超える場合に、エンジン又は後処理システムの健全性の診断の警告を与え、
前記圧力損失ベースの煤堆積推定値が前記煤堆積量の限界値に達したときに、前記ＤＰＦの上流に炭化水素を噴射することによりＤＰＦ再生を始動させるように構成された制御装置、
を備えるディーゼルエンジン。
【請求項１０】
前記制御装置は、ＮＯ２及びＯ２ベースの煤再生による煤の消費を計算するとともに、この計算された煤の消費の速度を使用して前記エミッションベースの煤堆積推定値を計算するように構成されている、請求項９に記載の排気後処理システムを有するディーゼルエンジン。
【請求項１１】
前記制御装置は、エンジン回転数、空燃比、ＥＧＲの使用並びに燃料噴射クランク角のうちの一つ又は複数、外気温度、エンジンの吸気温度並びに排気温度のうちの一つ又は複数を含む温度測定値、及びＮＯｘエミッションの測定値、を含むデータに基づいて煤の排出及び煤の消費を計算するように構成されている、請求項１０に記載の排気後処理システムを有するディーゼルエンジン。
【請求項１２】
前記制御装置は、エンジン回転数、空燃比、ＥＧＲの使用並びに燃料噴射クランク角のうちの一つ又は複数、外気温度、エンジンの吸気温度並びに排気温度のうちの一つ又は複数を含む温度測定値、及びＮＯｘエミッションの測定値、を含むデータに基づいて煤の排出を計算するように構成されている、請求項９に記載の排気後処理システムを有するディーゼルエンジン。
【請求項１３】
前記制御装置は、測定された排気質量流量及び排気温度を含むファクターに基づいて前記圧力損失ベースの煤堆積推定値を計算するように構成されている、請求項９に記載の排気後処理システムを有するディーゼルエンジン。
【請求項１４】
エンジン及び排気後処理システムの健全性を診断する、排気後処理システムを有するディーゼルエンジンの警告システムであって、
前記排気後処理システムは、前記エンジンの排気管の下流のディーゼル酸化触媒（ＤＯＣ）及び前記ＤＯＣの下流のディーゼルパティキュレートフィルタ（ＤＰＦ）を含んでおり、
前記警告システムが、
ＤＰＦ全体の圧力損失を測定するためのセンサ、及び
測定された圧力損失に基づいて圧力損失ベースの煤堆積推定値を計算し、
エンジンモデルから計算された煤排出量に基づいてエミッションベースの煤堆積推定値を計算し、
前記圧力損失ベースの煤堆積推定値及び前記エミッションベースの煤堆積推定値の一方が予め定められた煤堆積の限界値に達した時点と、前記圧力損失ベースの煤堆積推定値及び前記エミッションベースの煤堆積推定値の他方が前記予め定められた煤堆積の限界値に達すると予想される時点との間の差が予め定められた時間間隔を超える場合に警告を与え、
前記圧力損失ベースの煤堆積推定値が前記煤堆積量の限界値に達したときに、前記ＤＰＦの上流に炭化水素を噴射することによりＤＰＦ再生を始動させるように構成された制御装置、
を備えている警告システム。
【発明の詳細な説明】
【技術分野】
【０００１】
本発明は、エンジン及び排気後処理システムに関し、より詳しくは、ディーゼルパティキュレートフィルタ（ＤＰＦ）の再生の頻度が高すぎるかどうかを決定する方法及び装置に関する。
【背景技術】
【０００２】
最新のディーゼルエンジンには、通常、エンジン排気中の未燃炭化水素といった粒子状物質を濾過するためのＤＰＦが設けられている。煤がＤＰＦ内に捕集されると、通常は、再生と呼ばれるプロセスによる煤の除去が必要になる。再生のために使用される２つの主要な機構がある：酸素ベースの再生と呼ばれる酸素による煤の酸化（（Ｃ＋Ｏ２→ＣＯ２）及び／又は（２Ｃ＋Ｏ２→２ＣＯ））と、二酸化窒素ベースの再生と呼ばれる二酸化窒素による煤の酸化（（Ｃ＋２ＮＯ２→ＣＯ２＋２ＮＯ）及び／又は（Ｃ＋ＮＯ２→ＣＯ＋ＮＯ））である。「効果的なＮＯ２の供給を強化したＮＯ２ベースの能動的な再生により触媒化ディーゼルパティキュレートフィルタ（ＤＰＦ）を再生する方法及び装置」という名称の特許文献１、及び「窒素酸化物の再循環を使用してＮＯ２ベースでディーゼルパティキュレートフィルタを再生する方法及び装置」という名称の特許文献２は、モデリングを使用してＤＰＦの煤の堆積を計算することを記載している。なお、両文献がこの参照によって援用されるものとする。エンジン及び排気後処理システム（ＥＡＴＳ）の通常運転の間にも、いくらかの酸素による再生が多くの場合に生じているが、酸素による再生は、ＤＰＦに捕集された煤を燃焼させるための熱の追加を普通は含むので、典型的に「能動的な」再生と呼ばれている。ＮＯ２による再生は「受動的な」再生と典型的に呼ばれるとともに、エンジン及び排気後処理システムの通常運転の間にＤＰＦが連続的に再生される主要な機構である。
【０００３】
ＤＰＦにおける煤の堆積は、エンジンから排出される煤、並びにディーゼル酸化触媒（ＤＯＣ）及びＤＰＦ触媒といった排気後処理システムの部品の触媒活性、並びにエンジンの排気温度及び窒素酸化物のレベルといったファクターの影響を受ける。ディーゼルエンジン付きトラックの通常のハイウェイ運転の間といった、多くの運転状態下では、受動的な再生はＤＰＦにおける煤の実質的な堆積を防止することができ、かつ全体的に能動的な再生の必要性を回避することができる。好ましくない排気温度での局地的な運転といった、より好ましくない状態下では、ＤＰＦに煤が堆積して能動的な再生を実行しなければならない。
【０００４】
能動的な再生が必要であるかどうかを決定する一つの方法は、ＤＰＦ全体の圧力損失を測定するとともに、エンジンが運転されているときの特定の排気温度及び排気質量流量における圧力損失の関数として煤の堆積を推定することである。この圧力損失による煤の堆積の評価が予め定められた煤の堆積の限界値を上回る場合、能動的な再生が開始される。
【先行技術文献】
【特許文献】
【０００５】
【特許文献１】米国特許出願公開第２０１０／０３２６０５５号明細書（米国特許出願第１２／８６４，３２８号）
【特許文献２】米国特許出願公開第２０１１／００００１９０号明細書（米国特許出願第１２／８６４，３３０号）
【発明の概要】
【発明が解決しようとする課題】
【０００６】
発明者らが確認したところでは、頻度が高すぎる再生は、通常、エンジンによる過剰な煤の生成あるいはＤＯＣの不十分な触媒活性のいずれかに関連する問題を表していることになり得るが、ＤＰＦの不十分な触媒活性といった他の要因あるいは（ＤＰＦが灰で満ちているときといった）ＤＰＦの有効容積の減少もまた、あるいはそれに代わって、頻度の高い再生の背後に存在し得る。そのような問題の特定の失敗は、エンジンあるいは触媒の破局的な破損に至り得る。
【０００７】
現在では、頻度が高すぎる再生が発生しているかどうかは、再生の頻度を、予測された再生の頻度、すなわち具体的な時間間隔と比較することよって決定されている。しかしながら、上述したように、特定の状況下ではトラックはいかなる再生も必要としないが、他の状況下では同じトラックが数日毎に再生を必要とし得る。この変動は、通常のＤＰＦ再生の頻度がどのようなものであるかを定めるために、一つのあるいは特定の時間間隔の基準を使用することを困難にする。ある特定の時間間隔が、主に高速道路で運転されるトラックについては頻度が高いことになり、その一方で停止と発進を繰り返す交通状況で運転されるトラックについては頻度が正常あるいは少ないものになり得るからである。
【０００８】
ＤＰＦ再生が高すぎる頻度で発生しているかどうかの検出を確実に容易にし得る方法及び装置を提供することが望ましい。更に、最小限の追加の装置の使用を含む、そのような方法及び装置を提供することが望ましい。エンジンあるいは触媒の故障の回避に関する理由に加えて、カリフォルニア州規則コード：ＣＣＲ  １９７１．１（ｅ）（８．２．２）頻度の高い再生、連邦規則コード：ＣＦＲパート８６．０１０−１８（ｇ）（８）（ｉｉ）（Ｂ）パラグラフＤＰＦ再生頻度、といった規制を遵守するために、過剰なＤＰＦ再生を検出することが望ましい。
【課題を解決するための手段】
【０００９】
本発明の一態様によると、異常に頻度が高いディーゼルパティキュレートフィルタ（ＤＰＦ）の再生を検出する方法がもたらされる。この方法は、ＤＰＦ全体の圧力損失を測定するとともに、この測定された圧力損失を使用して圧力損失ベースの煤堆積推定値を計算すること、エンジンモデルからの煤の排出を計算するとともにこの計算された煤の排出を使用してエミッションベースの煤堆積推定値を計算すること、前記圧力損失ベースの煤堆積推定値を前記エミッションベースの煤堆積推定値と比較すること、及び前記圧力損失ベースの煤堆積推定値と前記エミッションベースの煤堆積推定値との差が予め定められた値を超える場合に警告を与えること、を含む。
【００１０】
本発明の別の態様によると、可能性のあるディーゼルエンジンの不調あるいはディーゼル酸化触媒（ＤＯＣ）の不調を検出する方法がもたらされる。この方法は、ＤＰＦ全体の圧力損失を測定するとともに、この測定された圧力損失を使用して圧力損失ベースの煤堆積推定値を計算すること、エンジンモデルからの煤の排出を計算するとともにこの計算された煤の排出を使用してエミッションベースの煤堆積推定値を計算すること、前記圧力損失ベースの煤堆積推定値を前記エミッションベースの煤堆積推定値と比較すること、及び圧力損失ベースの煤堆積推定値とエミッションベースの煤堆積推定値との差が予め定められた値を超える場合に、ディーゼルエンジンの機能性及びＤＯＣの不調を点検すること、を含む。
【００１１】
本発明の別の態様によると、排気後処理システムを有するディーゼルエンジンが提供され、そのディーゼルエンジンは、排気管を有するディーゼルエンジン、ディーゼルエンジンの排気管の下流のディーゼル酸化触媒（ＤＯＣ）、ＤＯＣの下流のディーゼルパティキュレートフィルタ（ＤＰＦ）、ＤＰＦ全体の圧力損失を測定するためのセンサ、及び制御装置を備えるこの制御装置は、測定された圧力損失に基づいて圧力損失ベースの煤堆積推定値を計算し、エンジンモデルから計算された煤の排出に基づいてエミッションベースの煤堆積推定値を計算し、圧力損失ベースの煤堆積量推定値をエミッションベースの煤堆積量推定値と比較し、及び前記圧力損失ベースの煤堆積推定値と前記エミッションベースの煤堆積推定値との差が予め定められた値を超える場合に警告を与えるように構成される。
【００１２】
本発明の別の態様によると、排気後処理システムを有するディーゼルエンジンのための警告システムがもたらされ、その排気後処理システムは、エンジンの排気管の下流のディーゼル酸化触媒（ＤＯＣ）及び前記ＤＯＣの下流のディーゼルパティキュレートフィルタ（ＤＰＦ）を含んでいる。その警告システムは、ＤＰＦ全体の圧力損失を測定するためのセンサ、及び測定された圧力損失に基づいて圧力損失ベースの煤堆積推定値を計算し、エンジンモデルから計算された煤の排出に基づいてエミッションベースの煤堆積推定値を計算し、圧力損失ベースの煤堆積量推定値をエミッションベースの煤堆積量推定値と比較し、及び前記圧力損失ベースの煤堆積推定値と前記エミッションベースの煤堆積推定値との差が予め定められた値を超える場合に警告を与えるように構成された制御装置を含む。
【００１３】
本発明の特徴及び利点は、数字が同様の要素を示している図面とともに以下の詳細な説明を読むことによってより理解されるだろう。
【図面の簡単な説明】
【００１４】
【図１】図１は、本発明の一態様によるエンジン及び排気後処理システムの模式的な説明図である。
【図２】図２は、異常な再生頻度を決定するために、圧力ベースの煤堆積推定値及びエミッションベースの煤堆積推定値負荷をどのように使用することができるかを示すグラフである。
【図３】図３は、異常な再生頻度を決定する方法のステップを示すフローチャートである。
【発明を実施するための形態】
【００１５】
本発明の一態様による、排気後処理システム（ＥＡＴＳ）を有するディーゼルエンジン２１が、図１に模式的に示されている。このエンジン２１は排気管２３を含んでおり、かつ後処理システムは、ディーゼルエンジンの排気管の下流のディーゼル酸化触媒（ＤＯＣ）２５と、このＤＯＣの下流のディーゼルパティキュレートフィルタ（ＤＰＦ）２７を含んでいる。排気後処理システムは、排気ガス再循環（ＥＧＲ）装置２８を含むことができる。
【００１６】
センサ２９は、ＤＰＦ全体の圧力損失を測定するために設けられて制御装置３１に信号を送信する。この制御装置３１は、例えば従来のＣＰＵのような、任意の適切な形態の制御装置とすることができるとともに、測定された圧力損失（ΔΡ）に基づいて、圧力損失ベースの煤堆積推定値ＳＬｐと呼ばれるべきものを計算するように構成されている。圧力損失ベースの煤堆積推定値ＳＬｐは、通常は、測定された排気管質量流量（ｍ）とＤＯＣ及びＤＰＦ全体の温度（Ｔ）を含む追加のファクターに基づいている。すなわち、ＳＬｐ＝ｆ（ΔΡ、ｍ、Ｔ）である。温度を測定するセンサ３０、流量監視器３２及び類似のものは、排気管の様々な特性を測定するべく、排気後処理システム及びエンジン２１の様々な箇所に設けることができるとともに、制御装置３１に信号を送信することができる。圧力損失ベースの煤堆積量を計算する通常のモデルは、いわゆる「ケーキ層」の煤のために圧力損失だけを考慮する。しかしながら、ＤＰＦの孔の内部のいわゆる「深層煤堆積」は、ＤＰＦの流れ抵抗を実質的に増加させ得るとともに、圧力損失ベース煤堆積量モデルにおける重要な誤差の原因となり得る。
【００１７】
制御装置３１はまた、エンジンモデルから計算される煤排出に基づいて、エミッションベースの煤堆積推定値ＳＬｃと呼ばれるものを計算するように構成されている。通常、エンジンモデルは、エンジン回転数、空燃比（ＡＦＲ）、ＥＧＲの使用並びに燃料角度（すなわち、燃料噴射及び／又は点火が上死点に対してどれだけ進角しあるいは遅角して生じるか）のうちの一つ又は複数、外気温度、エンジン入り口温度、エンジン排気温度、ＤＯＣ入り口温度、並びにＤＰＦの入り口及び出口温度といった温度の測定値、及びＮＯｘエミッションの測定値を含むデータに基づいて煤の排出を計算する。またエンジンモデルは、通常、ＤＰＦにおけるＮＯ２及びＯ２ベースの煤再生による煤の消費を計算するとともに、エミッションベースの煤堆積推定値ＳＬｃを計算するべく、この計算された煤の消費の速度を使用する。当然のことながら、煤の堆積及び／又は消費を計算するためのエンジンモデル、及びそれらの計算に使用するファクターは、該当するエンジン及び排気後処理システム並びに使用する特定のモデルに応じて変化する。
【００１８】
更に制御装置３１は、圧力損失ベースの煤堆積推定値ＳＬｐをエミッションベースの煤堆積推定値ＳＬｃと比較するように構成されている。制御装置３１は、警告システムの一部を形成し、圧力損失ベースの煤堆積推定値ＳＬｐとエミッションベースの煤堆積推定値ＳＬｃの差が予め定められた値を超える場合に、ダッシュボードの電灯３３を点灯させるといった警告をもたらすように構成される。この予め定められた値を超えることは、異常に頻度が高い再生を示唆するものであって、他の問題、具体的には過剰な煤の生成あるいはＤＯＣ触媒の不調の表れであり得るとともに、警報、あるいは電灯といった表示器を起動させるために使用することができる。
【００１９】
図２は、予め定められる値を、如何にして、例えば圧力ベース煤堆積推定値ＳＬｐ２が限界値ＳＬｌｉｍに実際に到達した時点とエミッションベースの煤堆積推定値ＳＬｃが限界値に達し始めると予測される時点との間の時間の量Δｔ、あるいは圧力ベースの煤堆積推定値が限界値に到達したときに圧力損失ベースの煤堆積推定値とエミッションベースの煤堆積推定値とによって推定される煤堆積量の差ΔＳＬとすることができるかを、グラフで示している。圧力ベースの煤堆積推定値ＳＬｐとエミッションベースの煤堆積推定値ＳＬｃの間の、基準からの過剰な逸脱を測定するための他の技術は、時間あるいは煤堆積の差に代えて、あるいはそれに加えて使用することができる。図２は、エンジン及びＤＯＣが適切に稼働しているときに、圧力ベースの煤堆積推定値ＳＬｐ１とエミッションベースの煤堆積推定値ＳＬｃが、時間の経過と共にどのように互いに密接に追従すると予想されるかをグラフで示している。図２のグラフは、単に例示的なものであって、実際の煤堆積の推定値を表すことを意図していない。
【００２０】
圧力損失ベースの煤堆積推定値ＳＬｐとエミッションベースの煤堆積推定値ＳＬｃの差が予め定められた値を超えたときに、オペレータあるいは技術者はエンジン２１及びＤＯＣ２５の機能性を確かめることができ、あるいはエンジン及びＤＯＣが適切に作動しているかどうかを決定する自動診断を実行することができる。
【００２１】
通常、制御装置３１は、少なくとも圧力損失ベースの煤堆積推定値ＳＬｐ及びエミッションベースの煤堆積推定値ＳＬｃのうちの一方が予め定められた煤堆積限界値ＳＬｌｉｍに達したときに、圧力損失ベースの煤堆積推定値ＳＬｐをエミッションベースの煤堆積推定値ＳＬｃと比較するように構成されているが、この制御装置は、圧力損失ベースの煤堆積推定値をエミッションベースの煤堆積推定値と連続的に比較するとともに、推定値の間の差が煤堆積量のいくらかの量あるいはパーセンテージを超えたときはいつでも警告を与え、又は煤堆積推定値を比較するためのいくつかの他の手段を選択することができる。制御装置３１は、圧力損失ベースの煤堆積推定値ＳＬｐが煤堆積量の限界値ＳＬｌｉｍに達したときに、いわゆる「７番目の噴射器」３５によってＤＰＦの上流に炭化水素を噴射することにより、ＤＰＦ再生を始動させるように構成することができる。ここで予想されることは、エンジンによる煤の生成あるいはＤＯＣ触媒の不調に関連する問題が発生するときに、圧力ベースの煤堆積推定値ＳＬｐが、通常、エミッションベースの煤堆積量値ＳＬｃの前に限界値ＳＬｌｉｍに達することである。
【００２２】
図３は、異常に頻度が高いＤＰＦ２７の再生を検出する方法のステップを示している。この方法によると、ステップ１００においては、ＤＰＦ２７全体の圧力損失が測定され、かつこの測定された圧力損失は圧力損失ベースの煤堆積推定値ＳＬｐを計算するために使用される。
【００２３】
ステップ２００においては、エンジンモデルからの煤の排出が計算され、かつこの計算された煤の排出はエミッションベースの煤堆積推定値ＳＬｃを計算するために使用される。またエミッションベースの煤堆積推定値ＳＬｃは、通常、ＮＯ２及びＯ２ベースの煤再生による煤の消費量の計算を含む。煤の排出及び煤の消費は、通常、エンジン回転数、空燃比（ＡＦＲ）、ＥＧＲ使用並びに燃料角度（すなわち、燃料噴射及び／又は点火が上死点からどれだけ進角しあるいは遅角して生じるか）、外気温度、エンジン入り口温度並びに排気温度といった温度の測定値、及びＮＯｘエミッションの測定値を含むデータに基づいて計算される。
【００２４】
ステップ３００においては、圧力損失ベースの煤堆積推定値ＳＬｐがエミッションベースの煤堆積推定値ＳＬｃと比較される。圧力損失ベースの煤堆積推定値ＳＬｐは、圧力損失ベースの煤堆積推定値及びエミッションベースの堆積量推定値のうちの一方が、いくつかの他の時点においてあるいは連続的に限界値ＳＬｌｉｍに到達したときに、エミッションベースの煤堆積推定値ＳＬｃと比較することができる。
【００２５】
ステップ４００においては、圧力損失ベースの煤堆積推定値ＳＬｐ２とエミッションベースの煤堆積推定値ＳＬｃの間の差が予め定められた値を超える場合、例えば圧力損失ベースの煤堆積推定値ＳＬｐ２が煤堆積の限界値ＳＬｌｉｍに達した時点の間の時間間隔Δｔが過大である場合、又は圧力損失ベースの煤堆積推定値が煤堆積量の限界値に到達した時点における煤堆積の推定値ΔＳＬの差の量が過大である場合に、警告が与えられる。
【００２６】
本出願においては、「含む」といった用語の使用は開放的なものであって「有する」といった用語と同じ意味を有することが意図されており、他の構造、材料あるいは行為の存在を妨げるものではない。同様に、「できる」あるいは「し得る」といった用語の使用は開放的なものであり、かつ構造、材料、あるいは行為が不可欠なものではないことを表すことが意図されているが、そのような用語を使用しないことがその構造、材料、あるいは行為が不可欠なものであることを表すことは意図されていない。構造、材料、あるいは行為は、目下のところは不可欠であるとみなされる限度において、それらはそのようなものとして特定される。
【００２７】
好ましい実施形態に基づいてこの発明を図示しかつ説明してきたが、請求の範囲に記載された本発明を逸脱しない範囲で変形及び変更をなし得ることは認識されるところである。
【符号の説明】
【００２８】
２１  エンジン
２３  排気管
２５  ディーゼル酸化触媒（ＤＯＣ）
２７  ディーゼルパティキュレートフィルタ（ＤＰＦ）
２８  排気ガス再循環（ＥＧＲ）装置
２９  センサ
３０  温度測定センサ
３１  制御装置
３２  流量監視器
３３  電灯
【図１】
0006325532.tif 000002
【図２】
0006325532.tif 000003
【図３】
0006325532.tif 000004